(57)【要約】【課題】  設置場所が限定されず且つ鼠が咥えて住処に持ち帰る確率を高め、それにより喫食率を高めることができる殺鼠材を提供する。【解決手段】  殺鼠材１は、殺鼠剤１１と、鼠が破損可能な材質よりなり該殺鼠剤１１を内部に収容する包材２１と、を備え、鼠をして住処に咥えて持ち帰る気にさせる行動誘起部２５を有する。【選択図】  図１
2006136210.tif 000002
【特許請求の範囲】
【請求項１】
殺鼠剤と、鼠が破損可能な材質よりなり該殺鼠剤を内部に収容する包材と、を備え、
鼠をして住処に咥えて持ち帰る気にさせる行動誘起部を有することを特徴とする殺鼠材。
【請求項２】
設置時に、前記行動誘起部が、設置面に対して上方に向いており、
該行動誘起部の少なくとも一部が、前記包材の内部に収容された殺鼠剤の高さより高い位置にあることを特徴とする請求項１に記載の殺鼠材。
【請求項３】
前記行動誘起部が、前記包材の一部に設けられていることを特徴とする請求項１又は２に記載の殺鼠材。
【請求項４】
前記包材が、立体的形状であることを特徴とする請求項１〜３のいずれかに記載の殺鼠材。
【請求項５】
前記包材が、誘引物質を保持していることを特徴とする請求項１〜４のいずれかに記載の殺鼠材。
【発明の詳細な説明】
【技術分野】
【０００１】
本発明は、鼠を効果的に駆除するための殺鼠材の改良に関する。
【背景技術】
【０００２】
鼠を効果的に駆除するための殺鼠材は従来から知られている。例えば、特許文献１には、図１２に示すように、上部に開口部１０３を有する皿状の容器本体１０１内に顆粒状の多数の殺鼠剤１０２を収容し、該容器本体１０１の開口部１０３を鼠が破損可能な透明な合成樹脂製のシート１０４で密封してなる殺鼠剤収容器１００が開示されている。
【０００３】
この殺鼠剤収容器１００は、使用時に該殺鼠剤収容器１００を鼠の通路に配置し、シート１０４を破って容器本体１０１内に収容された殺鼠剤１０２を食した鼠を死に至らしめるものであって、殺鼠剤１０２を容器に移し替える手間を省き、さらに、シート１０４が破られるまでの間、殺鼠剤１０２が吸湿することを防止して、品質を維持するようにしたものである。
【０００４】
また、特許文献２には、図１３に示すように、粉末状の殺鼠剤２０１を封入した扁平な四角型の薬袋２０２を底板２０３と枠２０４とを備えた容器２０５に収容してなる殺鼠用具２００が開示されている。
【０００５】
この殺鼠用具２００は、使用時に粉末状の殺鼠剤２０１が封入されている扁平な薬袋２０２の上面にスリットまたは小孔を適当に穿設し、薬袋２０２の上を鼠が通行した際に薬袋２０２中の殺鼠剤２０１が前記スリットまたは小孔から少量ずつ飛び立って鼠の体毛に付着し、その体毛に付着した粉末殺鼠剤２０１を鼠が嘗めて取ることにより、鼠を死に至らしめるものであって、粉末状の殺鼠剤２０１が風によって飛ばされて散逸したり、食品等に混入して人畜に危害を与えたりすることを防止するようにしたものである。
【特許文献１】実公平２−６７９３号公報
【特許文献２】実開平２−３２７３号公報
【発明の開示】
【発明が解決しようとする課題】
【０００６】
しかしながら、特許文献１に開示された殺鼠剤収容器１００は、容器本体１０１を用いるトレイタイプであるため、狭い隙間などには設置することができずその設置場所が限定されてしまい、そして、殺鼠剤収容器１００を発見した鼠のみが容器本体１０１内に収容された殺鼠剤１０２を食すこととなり、喫食率が十分に高いものとはいえなかった。
【０００７】
また、特許文献２に開示された殺鼠用具２００は、特許文献１に開示された殺鼠剤収容器１００と同様に容器２０５を用いるトレイタイプであるため、その設置場所が限定されてしまい、そして、薬袋２０２の上を通過した鼠のみが粉末状の殺鼠剤２０１を食すこととなるため、喫食率が十分に高いものとはいえず、さらに、薬袋２０２の上を鼠が通行した際に薬袋２０２中の粉末殺鼠剤２０１をスリット等から少量ずつ飛び立たせて鼠の体毛に付着させ、付着した粉末殺鼠剤２０１を嘗め取った鼠を死に至らしめるというものであるので、喫食率は非常に低いものであった。
【０００８】
そこで、喫食率を高めるためには、例えば上記特許文献２に開示された殺鼠用具２００において、鼠が薬袋２０２を咥えて住処に持ち帰ることが望まれる。これにより、該鼠は住処で殺鼠剤を継続して食すこととなり、殺鼠剤の喫食率を高めることができ、さらに、住処を中心として群を形成している他の鼠が殺鼠剤を食することとなり、これら複数の鼠を効率良く駆除することができる。しかしながら、この薬袋２０２は扁平であり且つ薬袋２０２を容器２０５の底面に沿って置いただけであるので、鼠が薬袋２０２を持ち帰ろうとしても薬袋２０２を咥える部分がなく、住処への持ち帰りを期待することはできなかった。
【０００９】
本発明は、前述した課題に鑑みてなされたものであり、その目的は、設置場所が限定されず且つ鼠が住処に持ち帰る確率を高め、それにより、内部に収容された殺鼠剤の喫食率を高めることができる殺鼠材を提供することにある。
【課題を解決するための手段】
【００１０】
前述した目的を達成するため、本発明に係る殺鼠材は、下記の（１）〜（５）を特徴としている。
【００１１】
（１）  殺鼠剤と、鼠が破損可能な材質よりなり該殺鼠剤を内部に収容する包材と、を備え、鼠をして住処に咥えて持ち帰る気にさせる行動誘起部を有すること。
（２）  上記（１）に記載の殺鼠材において、
設置時に、前記行動誘起部が、設置面に対して上方に向いており、該行動誘起部の少なくとも一部が、前記包材の内部に収容された殺鼠剤の高さより高い位置にあること。
（３）  上記（１）または（２）に記載の殺鼠材において、
前記行動誘起部が、前記包材の一部に設けられていること。
（４）  上記（１）〜（３）に記載の殺鼠材において、
前記包材が、立体的形状であること。
（５）  上記（１）〜（４）に記載の殺鼠材において、
前記包材が、誘引物質を保持していること。
【００１２】
上記（１）に記載の殺鼠材は、殺鼠剤を内部に収容する包材が、鼠が破損可能な材質よりなり、また、鼠をして住処に咥えて持ち帰る気にさせる行動誘起部を設けている。このような構成により、鼠に殺鼠材を咥えて住処に持ち帰らせることができ、該鼠は住処で殺鼠剤を継続して食すこととなり、殺鼠剤の喫食率を高めて駆除効率を向上させることができる。さらに、同一の住処に居住する他の鼠も殺鼠剤を食すことができるので、殺鼠剤の喫食率を高めて駆除効率を向上させることができる。また、容器を用いることなく手軽に設置可能であるため、狭い隙間などにも設置可能であり設置場所が限定されないので、殺鼠剤の喫食率を高めて駆除効率を向上させることが可能である。
【００１３】
上記（２）に記載の殺鼠材によれば、行動誘起部が設置面に対して上方に向き、設置の際に行動誘起部の少なくとも一部が前記包材の内部に収容された殺鼠剤の高さより高い位置となるので、行動誘起部が、鼠が咥えて住処に持ち帰る行動を起こしやすい位置となり、鼠が行動誘起部を咥えて殺鼠剤を住処へ持ち帰る確率を高めることができる。
【００１４】
上記（３）に記載の殺鼠材によれば、行動誘起部が前記包材の一部に設けられているので、鼠が行動誘起部を咥えて殺鼠材を住処へ確実に持ち帰る確率をさらに高めることができる。
【００１５】
上記（４）に記載の殺鼠材によれば、包材が立体的形状であるので、より目立やすいものとなり、鼠が殺鼠材に誘引される確率が高くなり、殺鼠剤の喫食率を高めることができる。
【００１６】
上記（５）に記載の殺鼠材によれば、包材に誘引物質を保持しているので、鼠が殺鼠材に誘引される確率が高くなり、殺鼠剤の喫食率をさらに高めることができる。
【発明の効果】
【００１７】
本発明に係る殺鼠材によれば、設置場所が限定されず且つ、鼠に住処に持ち帰らせることができ、それにより殺鼠剤の喫食率を高めて効率良く鼠を駆除することができる。
【００１８】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１９】
以下、本発明に係る複数の好適な実施形態を図面に基づいて詳細に説明する。
【００２０】
（第１実施形態）
図１は本発明の第１実施形態である殺鼠材を示す図である。
【００２１】
図１に示すように、第１実施形態の殺鼠材１は、包材２１の内部に、殺鼠剤１１が収容されて構成されている。
【００２２】
包材２１は、鼠が破損（引き裂き）可能で、通気性を有し、内部が透けて見えるように透明もしくは半透明な材質の、例えば略矩形状の不織布を用い、一対の側縁部を接合してなる縁部２４が外方に突出するように略筒形状に形成し、次いで、上側および下側の開口を封止するように、該開口を画成している不織布の周縁部をそれぞれ接合してなる縁部２２，２３を互いに直交する方向に伸びる直線状に形成することにより、全体として略三角錐状に形成されている（以下、テトラポット（登録商標）型と呼ぶ。）。
【００２３】
このように形成されたテトラポット型の包材２１において、縁部２２，２３は、捩れの位置にあって対向する一組の辺上にそれぞれ起立して設けられており、そして、縁部２４は、１つの面上において縁部２２の一端と縁部２３の中央とを結ぶように伸び、前記面上において起立して設けられている。
【００２４】
包材２１には、例えばキャラメルフレーバー、コンブフレーバー、ピーナツフレーバー、などの鼠を誘引する臭いを発生する誘引物質が、含浸もしくは塗布されるなど適宜の手段により保持されている。
【００２５】
包材２１の内部には、殺鼠成分を含有した多数のタブレット型の殺鼠剤１１が８〜１２ｇ収容されている（但し、８〜１２ｇに限定されるものではない。）。殺鼠成分としては、特に制限はないが、ワルファリン，クマリン，クマテトラリル等のクマリン系化合物や、クロロファシノン（Chlorophacinone），ジファシノン（Diphacinone），ピンドン（Pindone），バロン（Valone）等のインダンジオン系化合物や、ジフェチアロン，ジフェナコン，ブロジファコン，ブロマジオロン，フロクマフェン等のトリアリール置換クマリン系化合物や、シリロシドなどを例示することができる。尚、殺鼠剤１１のうちジフェチアロンを含有したものは、従来のものより同一の量でおよそ３倍の殺鼠効力を有している。そして、これらの殺鼠剤１１は、鼠が赤い色に対して敏感でこれを好むとのことから、赤系色に着色されており、透明もしくは半透明の包剤２１を透して外部より視認可能となっている（但し、殺鼠剤１１の色は、赤系色に限定されるものではなく、任意である。）。
【００２６】
上述のように構成された殺鼠材１は、包材２１のいずれの面を底面として設置した場合にも安定して設置され、縁部２２，２３，２４のいずれかが設置面に対して上方に向いて且つ、設置面に対して上方を向く縁部の少なくとも一部（図１において符号２５で示される部分）が包材２１に包容された殺鼠剤１１の高さより高い位置にあり、鼠が殺鼠材を住処に持ち帰る行動を起こしやすい位置（換言すれば、鼠が咥えやすい位置であって、設置面から鼠の口あたりまでの高さ）に配置されて行動誘起部となっている。
【００２７】
上述のように、第１実施形態の殺鼠材１は、殺鼠剤１１を包容するテトラポット型をした包材２１に、設置面に対して上方を向き且つ該包材２１の内部に収容された殺鼠剤１１の高さより高い位置に配置された行動誘起部２５が設けられている。このような構成により、鼠に行動誘起部２５を咥えて殺鼠材１を住処へ確実に持ち帰らせることができ、住処で殺鼠剤１１を継続して食すこととなる。これにより、殺鼠剤１１の喫食率を高めて殺鼠剤１１に含有される有効成分を蓄積させ、鼠を確実に死に至らしめることができ、駆除効率を向上させることができる。さらに、同一の住処に居住する他の鼠も殺鼠剤１１を食すことができるので、殺鼠剤１１の喫食率を高めて駆除効率を向上させることができる。また、容器を用いることなく手軽に設置可能であるため、狭い隙間などにも設置可能であり設置場所が限定されないので、殺鼠剤１１の喫食率を高めて駆除効率を向上させることが可能である。
【００２８】
そして、包材２１がテトラポット型をした立体的形状（換言すれば、設置面からの高さ（即ち、厚み）を有する形状）に形成されているので目立ちやすく、しかも、透明もしくは半透明の包材２１を透かして視認可能とされた殺鼠剤１１が鼠が好む赤系色に着色されており且つ、包材２１が鼠を誘引する臭いを発生する誘引物質を保持しているので、鼠が殺鼠材１に誘引される確率が高くなり、殺鼠剤１１の喫食率をさらに高めることが可能である。
【００２９】
（第２実施形態）
図２は本発明の第２実施形態である殺鼠材を示す斜視図である。尚、上述した第１実施形態の殺鼠材１と共通する部材については、同一符号を付すことにより説明を省略する。
【００３０】
図２に示すように、第２実施形態における殺鼠材２は、包材３１の内部に殺鼠剤１１が収容されてなる。
【００３１】
包材３１は、鼠が破損可能で、通気性を有し、内部が透けて見えるように透明もしくは半透明な材質の、例えば略矩形状の不織布を用い、一対の側縁部を接合してなる縁部３４が外方に突出するように略筒形状に形成し、次いで、上側および下側の開口を封止するように、該開口を画成している不織布の周縁部をそれぞれ略Ｈ字形状に接合した後に扁平とされた縁部３２，３３を形成することにより、全体として上部および下部が扁平とされ且つ両側部に襠（まち）を設けられて上下方向の中央部が膨張した形状に形成されている（以下、ガセット型と呼ぶ。）。
【００３２】
このように形成されたガゼット型の包材３１において、上側縁部３２および下側縁部３３は、それぞれ包材３１の上部もしくは下部に起立して設けられており、そして、縁部３４は、襠の設けられていない１つの側面上において上側縁部３２の中央と下側縁部３３の中央とを結ぶように伸びて、前記側面上に起立して設けられている。
【００３３】
この包材３１には、第１実施形態と同様に、鼠を殺鼠材２に誘引する臭いを発生する誘引物質が保持されている。
【００３４】
殺鼠剤１１は、上述した第１実施形態と同様のものであり、包材３１内に８〜１２ｇ収容されている。
【００３５】
上述のように構成された殺鼠材２は、包材３１の上側縁部３２または下側縁部３３のいずれか一方を設置面に当接させて包材３１の上部または下部を変形させることにより、起立した状態に安定して設置され得る。この場合、設置面に接触していない上側縁部３２または下側縁部３３の他方が、設置面に対して上方に向いて且つ、包材３１に包容された殺鼠剤１１の高さより高い位置にあり、鼠が殺鼠材を住処に持ち帰る行動を起こしやすい位置に配置されて行動誘起部となっている。
【００３６】
本実施形態の殺鼠材２による作用・効果は、上述した第１実施形態の殺鼠材１と同様であるので、説明を省略する。
【００３７】
（第３実施形態）
図３は本発明の第３実施形態である殺鼠材の斜視図である。尚、上述した各実施形態の殺鼠材と共通する部材については、同一符号を付すことにより説明を省略する。
【００３８】
図３に示すように、第３実施形態の殺鼠材３は、包材４１の内部に殺鼠剤１１が収容されてなる。
【００３９】
包材４１は、鼠が破損可能で、通気性を有し、内部が透けて見えるように透明もしくは半透明な材質の、例えば略矩形状の不織布を用いて、該不織布の略中央部に載置された殺鼠剤１１を包容するように該不織布の周縁部を窄め、該不織布の余剰部分を紐などで縛るなどして結び目４３および該結び目４３により一つに纏められた縁部４４を形成することにより、全体として殺鼠剤１１を包容する略巾着形状に形成されている（以下、巾着Ａ型と呼ぶ。）。
【００４０】
このように形成された巾着Ａ型の包材４１において、結び目４３により一つに纏められた縁部４４は、殺鼠剤１１を包容する本体４２の上方に設けられる。
【００４１】
この包材４１には、第１実施形態と同様に、鼠を殺鼠材３に誘引する臭いを発生する誘引物質が保持されている。
【００４２】
殺鼠剤１１は、上述した第１実施形態と同様のものであり、包材４１内に８〜１２ｇ収容されている。
【００４３】
上述のように構成された殺鼠材３は、包材４１の本体４２を設置面に当接させて下部を変形させることにより、設置面に対して起立した状態に安定して設置され得る。この場合、結び目４３により一つに纏められた縁部４４が設置面に対して上方に向いており、包材３１に包容された殺鼠剤１１の高さより高い位置となり、鼠が殺鼠材を住処に持ち帰る行動を起こしやすい位置に配置されて行動誘起部となっている。
【００４４】
本実施形態の殺鼠材３による作用・効果は、上述した各実施形態の殺鼠材と同様であるので、説明を省略する。
【００４５】
（第４実施形態）
図４は本発明の第４実施形態である殺鼠材の斜視図である。尚、上述した各実施形態の殺鼠材と共通する部材については、同一符号を付すことにより説明を省略する。
【００４６】
図４に示すように、第４実施形態の殺鼠材４は、包材５１の内部に殺鼠剤１１が収容されてなる。
【００４７】
包材４１は、鼠が破損可能で、通気性を有し、内部が透けて見えるように透明もしくは半透明な材質の、例えば略矩形状の不織布を用いて、不織布の四隅の角部を互いに近接する方向に折り返して一つに接合し、次いで、不織布の各辺により画成されている開口を封止するように、該開口を画成している不織布の各辺をそれぞれ接合してなる縁部５２〜５５を外部に突出するように形成することにより、全体として殺鼠剤１１を包容する略巾着形状に形成されている（以下、巾着Ｂ型と呼ぶ。）。
【００４８】
このように形成された巾着Ｂ型の包材５１において、上面中央部が上方に向かって膨出しており、縁部５２〜５５は、この上面中央から四隅に向けて伸びて且つ、上面に起立して設けられている。
【００４９】
この包材５１には、第１実施形態と同様に、鼠を殺鼠材４に誘引する臭いを発生する誘引物質が保持されている。
【００５０】
殺鼠剤１１は、上述した第１実施形態と同様のものであり、包材５１内に８〜１２ｇ収容されている。
【００５１】
上述のように構成された殺鼠材４は、包材５１の下面を設置面に接触させて安定して設置され得る。この場合、包材５１の各縁部５２〜５５が設置面に対して上方に向いており、縁部５２〜５５が合わさった最上端部５６が包材５１内部に収容された殺鼠剤１１の高さより高い位置にあり、鼠が殺鼠材を住処に持ち帰る行動を起こしやすい位置に配置されて行動誘起部となっている。
【００５２】
本実施形態の殺鼠材４による作用・効果は、上述した各実施形態の殺鼠材と同様であるので、説明を省略する。
【００５３】
（第５実施形態）
図５は本発明の第５実施形態である殺鼠材の斜視図である。尚、上述した各実施形態の殺鼠材と共通する部材については、同一符号を付すことにより説明を省略する。
【００５４】
図５に示すように、第５実施形態の殺鼠材５は、包材６１の内部に殺鼠剤１１が収容されてなる。
【００５５】
包材６１は、鼠が破損可能で、通気性を有し、内部が透けて見えるように透明もしくは半透明な材質の、例えば略矩形状の不織布を用い、一対の側縁部を接合してなる縁部６２が外方に突出するように略筒形状に形成し、次いで、両端の開口を封止するように、該開口を画成している不織布の周縁部をそれぞれ略Ｙ字形状に接合してなる縁部６３，６４を形成することにより、全体として該縁部６３，６４を結ぶ中間部が上方に膨出した形状に形成されている（以下、俵型と呼ぶ。）。
【００５６】
このように形成された俵型の包材６１において、縁部６２は、包材６１の上面に起立して設けられている。
【００５７】
この包材６１には、第１実施形態と同様に、鼠を殺鼠材５に誘引する臭いを発生する誘引物質が保持されている。
【００５８】
殺鼠剤１１は、上述した第１実施形態と同様のものであり、包材６１内に８〜１２ｇ収容されている。
【００５９】
上述のように構成された殺鼠材５は、包材６１の下面を設置面に接触させて安定して設置され得る。この場合、包材６１の縁部６２が設置面に対して上方に向いており且つ、包材６１内部に収容された殺鼠剤１１の高さより高い位置にあり、鼠が殺鼠材を住処に持ち帰る行動を起こしやすい位置に配置されて行動誘起部となっている。
【００６０】
本実施形態の殺鼠材５による作用・効果は、上述した各実施形態の殺鼠材と同様であるので、説明を省略する。
【００６１】
（第６実施形態）
図６は本発明の第６実施形態である殺鼠材の斜視図である。尚、上述した各実施形態の殺鼠材と共通する部材については、同一符号を付すことにより説明を省略する。
【００６２】
図６に示すように、第６実施形態の殺鼠材６は、包材７１の内部に殺鼠剤１１が収容されてなる。
【００６３】
包材７１は、鼠が破損可能で、通気性を有し、内部が透けて見えるように透明もしくは半透明な材質の、例えば略矩形状の不織布を用い、一対の側縁部を接合してなる縁部７２が外方に突出するように略筒形状に形成し、次いで、両端の開口を封止するように、該開口を画成している不織布の周縁部をそれぞれ直線状に接合してなる縁部７３，７４を形成することにより、全体として該縁部７３，７４を設けられた両端が扁平で、該縁部７３，７４結ぶ中間部が前記両端よりも厚みをもった断面略楕円形状に形成されている（以下、スティック型と呼ぶ。）。
【００６４】
このように形成されたスティック型の包材７１において、縁部７２は、包材７１の上面に起立して設けられている。
【００６５】
この包材７１には、第１実施形態と同様に、鼠を殺鼠材６に誘引する臭いを発生する誘引物質が保持されている。
【００６６】
殺鼠剤１１は、上述した第１実施形態と同様のものであり、包材７１内に８〜１２ｇ収容されている。
【００６７】
上述のように構成された殺鼠材６は、包材７１の下面を設置面に接触させて安定して設置され得る。この場合、包材７１の縁部７２が設置面に対して上方に向いており且つ、包材７１内部に収容された殺鼠剤１１の高さより高い位置にあり、鼠が殺鼠材を住処に持ち帰る行動を起こしやすい位置に配置されて行動誘起部となっている。
【００６８】
本実施形態の殺鼠材６による作用・効果は、上述した各実施形態の殺鼠材と同様であるので、説明を省略する。
【００６９】
（第７実施形態）
図７は本発明の第７実施形態である殺鼠材の斜視図である。尚、上述した各実施形態の殺鼠材と共通する部材については、同一符号を付すことにより説明を省略する。
【００７０】
図７に示すように、第７実施形態の殺鼠材７は、包材８１の内部に殺鼠剤１１が収容されてなる。そして、この包材８１は、上述した第６実施形態のスティック型の包材７１において両端の縁部７３，７４に相当する縁部８３，８４を包材８１の長手方向に延長して包材７１の縁部７３，７４よりも長く形成したものである。
【００７１】
そして、このように構成された殺鼠材７は、縁部８３，８４のうち例えば図７において左側の縁部８４をＬ字形に屈曲して設置面に対して上方に向け、包材８１内部に収容された殺鼠剤１１の高さより高い位置に配置して行動誘起部とすることができる。また、他端側の縁部８３を同様に屈曲して、両端の縁部８３，８４を行動誘起部としてもよい。
【００７２】
本実施形態の殺鼠材７による作用・効果は、上述した第６実施形態の殺鼠材６と同様であるので、説明を省略する。
【００７３】
尚、本発明は、前述した実施形態に限定されるものではなく、適宜、変形、改良、等が可能である。その他、前述した実施形態や変形例における各構成要素の材質、形状、寸法、数値、形態、数、配置箇所、等は本発明を達成できるものであれば任意であり、限定されない。
【００７４】
例えば、包材の形状は上述した各実施形態に限られるものではなく、球型、ドーム型、たまご型、筒型、ドーナツ型、等を挙げることができる。そして、いずれの型においても、上述した各実施形態と同様に、鼠が破損可能な材質（例えば不織布）よりなり、設置時に鼠が住処に持ち帰る確率を高めることができる行動誘起部を有する。
【００７５】
また、上述した各実施形態において、行動誘起部は包材の一部（縁部）に設けられていたが、包材と分離しない限り包材とは別部材であってもよく、例えばシールなどを包材に固着して設けてもよい。
【実施例】
【００７６】
以下、本発明に係る殺鼠材の効果を確認するために行った種々の実験について説明する。
【００７７】
まず、トレイタイプの殺鼠材（図１２に示す殺鼠剤収容器１００参照）と、上述した第１実施形態のテトラパック型の殺鼠材とを用いて、鼠による持ち帰り（持ち去り）を確認する実験を行った。
【００７８】
この実験は、図８に示すように、鼠のケージ９２をボックス９１の中に入れ、ボックス９１の後ろ側半分に暗幕をかけ、そして、ケージ９２の鼠の出入り口９３近傍のボックス９１の底面に、トレイタイプの殺鼠材９４と、包材がテトラパック型の殺鼠材１とをそれぞれ１個ずつ置いた状態で行った。尚、図８において、符号９５は内部に水が満たされた容器である。また、ケージ９２内には１匹のドブ鼠が入られている。
【００７９】
上記のボックスを４個用意して実験を行った結果、どのボックスにおいても鼠は最初に殺鼠材１に興味を持った。そして４匹中２匹はこの殺鼠材１を持ち帰り、１匹はその場で殺鼠材１の包材をかじった。残りの１匹は殺鼠材１を咥えて設置場所から移動させた。トレイタイプの殺鼠材に関しては、顆粒状の殺鼠剤を持ち帰るという行動はなく、安全であると気付くと、数秒間餌を食べた後、ボックスの陰に隠れ、しばしば餌を食べに来るという行動を繰り返した。
【００８０】
これにより、本発明に係る殺鼠材によれば、鼠が咥えて住処に持ち帰ることが確認された。
【００８１】
次に、扁平な四角型の殺鼠材（図１３に示す薬袋２０２参照）と、上述した各実施形態の殺鼠材を用いて、鼠による持ち帰り（持ち去り）回数を確認する実験を行った。
【００８２】
図８に示したような方法に準じて、包材が扁平な四角型をした殺鼠材および上述した第１〜第６実施形態の殺鼠材のうち、任意の一組の殺鼠材を用いて、これら殺鼠材の鼠による持ち帰りについて複数回の実験を行った。尚、上記四角型の殺鼠材の内部には本発明に係る第１実施形態の殺鼠材と同様のタブレット型の殺鼠剤１１が収容されている。図９に、殺鼠材（包材の形状）の組合せ、該組合せによる実験回数、および、該組合せにおいて各型の殺鼠材の持ち帰り回数を示す。
【００８３】
図９に示されるように、四角型とテトラパック型との殺鼠材の組合せの場合、６回の実験のうち、テトラパック型の殺鼠材１が５回ボックス内に持ち去られ、四角型の殺鼠材が１回持ち去られた。また、四角型とスティック型との殺鼠材の組合せの場合は、６回すべてにおいてスティック型の殺鼠材がボックス内に持ち去られた。
【００８４】
これにより、テトラパック型及びスティック型の本発明に係る殺鼠材は、立体的形状をしており、鼠の目線から見て目立ちやすく、且つ、包材の縁部の一部が行動誘起部となり、四角型の殺鼠材に比べてはるかに持ち去られやすいことが確認された。
【００８５】
そして、図９に示されるように、スティック型とテトラパック型との殺鼠材の組合せの場合、１０回の実験のうち、スティック型の殺鼠材が３回ボックス内に持ち去られ、テトラパック型の殺鼠材が７回持ち去られた。
【００８６】
上記の実験結果より、テトラパック型の殺鼠材は、スティック型の殺鼠材よりも持ち去られやすいことが分かった。これは、テトラパック型の殺鼠材の方が立体的形状として遠くから目立ちやすいためと考えられる。
【００８７】
さらに、図９に示されるように、テトラパック型とガゼット型との殺鼠材の組合せの場合、６回の実験のうち、テトラパック型の殺鼠材が５回ボックス内に持ち去られ、ガゼッタ型の殺鼠材が１回持ち去られた。また、テトラパック型と巾着Ａ型との殺鼠材の組合せの場合、９回の実験のうち、テトラパック型の殺鼠材が５回ボックス内に持ち去られ、巾着Ａ型の殺鼠材が４回持ち去られた。また、テトラパック型と巾着Ｂ型との殺鼠材の組合せの場合、６回の実験のうち、テトラパック型の殺鼠材が５回ボックス内に持ち去られ、巾着Ｂ型の殺鼠材が１回持ち去られた。また、テトラパック型と俵型との殺鼠材の組合せの場合、９回の実験のうち、テトラパック型の殺鼠材が４回ボックス内に持ち去られ、俵型の殺鼠材が５回持ち去られた。
【００８８】
上記の実験結果より、テトラパック型の殺鼠材は、ガゼット型の殺鼠材よりも持ち去られやすいことがわかった。これは、ガゼット型の殺鼠材よりもテトラパック型の殺鼠材は安定して設置されるためと考えられる。
【００８９】
また、テトラパック型の殺鼠材は、巾着Ｂ型の殺鼠材よりも持ち去られやすいことがわかった。これは、巾着Ｂ型の殺鼠材よりもテトラパック型の殺鼠材は行動誘起部が適切なサイズであるためと考えられる。
【００９０】
一方、巾着Ａ型の殺鼠材および俵型の殺鼠材は、テトラパック型の殺鼠材と同等の持ち帰り効果を確認することができた。これは、巾着Ａ型の殺鼠材に関しては、行動誘起部が大きく且つ高さのある立体的形状であるので、鼠にとって住処に持ち帰る行動を起こしやすいものであり、持ち帰り効果に関して有効な形状であるためと考えられる。また、俵型の殺鼠材に関しては、膨らみがあり、横長ということもあって、鼠が住処に持ち帰る行動を起こす際に邪魔にならない（真中を咥えるので、首や地面に包材が当たらない）ので、鼠が持ち帰りやすいためと考えられる。
【００９１】
次に、テトラパック型の殺鼠材の包材に、上述した種々の誘引物質を保持させた際の誘引効果を確認する実験を行った。
【００９２】
図１０に示すように、鼠のケージ９２をボックス９１の中に入れ、該ボックス９１の後ろ側半分に暗幕をかけ、そして、ケージ９２の鼠の出入り口９３近傍のボックス９１の底面に、それぞれ異なる誘引物質を包材に塗布されたテトラパック型の殺鼠材１を整列して並べた状態で行った。尚、包材内には殺鼠成分なしの薬剤１０ｇを入れている。また、ケージ９２内には１匹のドブ鼠が入れられている。包材に塗布する誘引物質として、キャラメルフレーバーを発する物質、コンブフレーバーを発する物質、ピーナツフレーバーを発する物質、シーズニングオイル、フレッシュミルクオイル、および糖蜜を用いている。  そして、一番先に持ち去れたものはどれか（咥えてケージ９２内に持ち帰ったものはどれか）で、その誘引効果を判定した。
【００９３】
１回目の実験では、誘引物質としてキャラメルフレーバーを発する物質、コンブフレーバーを発する物質、およびシーズニングオイルをそれぞれ包材に塗布された３個の殺鼠材１を整列して並べたボックスを５個用意して行った。結果を図１１（Ａ）に示す。
【００９４】
図１１（Ａ）に示されるように、鼠の誘引効果が高い順に、キャラメルフレーバー（２個）、コンブフレーバー（１個）、シーズニングオイル（０個）であることがわかる。尚、包材の匂いを嗅ぐ動作を示さず、包材を直ちに持ち帰ったものは判定不能としている。
【００９５】
２回目の実験では、誘引物質としてキャラメルフレーバーを発する物質、コンブフレーバーを発する物質、フレッシュミルクオイル（小川香料）、および糖蜜（台糖）をそれぞれ包材に塗布された４個の殺鼠材１を整列して並べたボックスを７個用意して行った。結果を図１１（Ｂ）に示す。
【００９６】
図１１（Ｂ）に示されるように、鼠の誘引効果が高い順に、キャラメルフレーバー（５個）、コンブフレーバー（２個）、フレッシュミルクオイルおよび糖蜜（それぞれ０個）であることがわかる。
【００９７】
３回目の実験では、誘引物質としてキャラメルフレーバーを発する物質、コンブフレーバーを発する物質、およびピーナツフレーバーを発する物質をそれぞれ包材に塗布された３個の殺鼠材１を整列して並べたボックスを７個用意して行った。結果を図１１（Ｃ）に示す。
【００９８】
図１１（Ｃ）に示されるように、鼠の誘引効果が高い順に、キャラメルフレーバー（５個）、コンブフレーバー（２個）、ピーナツフレーバー（０個）であることがわかる。
【００９９】
上記の実験結果より、鼠はキャラメルフレーバーの包材を好んで先に持ち帰るということがわかった。また、シーズニングオイル、フレッシュミルクオイル、および糖蜜を包材に塗布された殺鼠材に関しては持ち帰るという行動をとらなかったことから、不織布に味がついているよりも、匂いが誘引に重要であると考えられる。結果として、包材に塗布される誘引物質としてはキャラメルフレーバーを発する物質が最も好ましく、次にコンブフレーバーが好ましいことがわかる。
【図面の簡単な説明】
【０１００】
【図１】本発明の第１実施形態である殺鼠材の斜視図である。
【図２】本発明の第２実施形態である殺鼠材の斜視図である。
【図３】本発明の第３実施形態である殺鼠材の斜視図である。
【図４】本発明の第４実施形態である殺鼠材の斜視図である。
【図５】本発明の第５実施形態である殺鼠材の斜視図である。
【図６】本発明の第６実施形態である殺鼠材の斜視図である。
【図７】本発明の第７実施形態である殺鼠材の斜視図である。
【図８】鼠による殺鼠材の住処への持ち帰りを確認する実験に用いた実験装置の概略図である。
【図９】鼠による殺鼠材の住処への持ち帰りを確認する実験において、殺鼠材の包材の形状を夫々異ならしめた場合の実験結果を示す表である。
【図１０】鼠による殺鼠材の住処への持ち帰りを確認する実験に用いた実験装置の概略図である。
【図１１】鼠による殺鼠材の住処への持ち帰りを確認する実験において、殺鼠材に保持された誘引物質を夫々異ならしめた場合の実験結果を示すグラフ図である。
【図１２】従来の殺鼠材を示す分解斜視図である。
【図１３】（Ａ）は従来の他の殺鼠材を示す平面図、（Ｂ）は同図（Ａ）に示す殺鼠材の縦断面図である。
【符号の説明】
【０１０１】
１    殺鼠材
１１  殺鼠剤
２１  包材
２２、２３、２４  縁部
２５  行動誘起部
【図１】
2006136210.tif 000003
【図２】
2006136210.tif 000004
【図３】
2006136210.tif 000005
【図４】
2006136210.tif 000006
【図５】
2006136210.tif 000007
【図６】
2006136210.tif 000008
【図７】
2006136210.tif 000009
【図８】
2006136210.tif 000010
【図９】
2006136210.tif 000011
【図１０】
2006136210.tif 000012
【図１１】
2006136210.tif 000013
【図１２】
2006136210.tif 000014
【図１３】
2006136210.tif 000015